(57)【特許請求の範囲】
【請求項１】
吸気口と吹出口とを備えた略箱形状の本体ケースと、この本体ケース内に前記吸気口から前記吹出口へ送風する送風手段を設け、前記吸気口を前記本体ケースの背面側側面に備え、前記吸気口に対向する位置に前記送風手段を設け、前記送風手段の風下側風路に静電霧化手段を備え、この静電霧化手段と前記送風手段とを動作させる制御手段を設け、前記送風手段および前記静電霧化手段と、前記本体ケースの前面側側面との間に略平板形状の仕切板部を設け、この仕切板部と、前記本体ケースの前面側側面との間に第１の空間部を設け、前記第１の空間部には、前記制御手段を設け、前記制御手段は、平板形状の基板部分と、この基板部分に固定された部品部分とから形成し、前記送風手段は、ケーシング部と、このケーシング部に配設された電動機と、この電動機によって回転する羽根とから形成し、前記基板部分は、前記本体ケースの前面側側面と前記送風手段とに対向し、前記基板部分は、前記ケーシング部の前記本体ケースにおける前面側をほぼ覆う大きさであると共に、前記ケーシング部の前記本体ケースにおける前面側に対向して設けられる構成とした静電霧化装置。
【請求項２】
仕切板部は、前記本体ケースの前面側側面と、背面側側面との略中央部に位置する構成とした請求項１に記載の静電霧化装置。
【請求項３】
制御手段は、前記仕切板部と、略椀形状の制御カバー部によって囲まれた請求項１または２に記載の静電霧化装置。
【請求項４】
制御カバー部は、前記本体ケースの前面側側面に接した構成とした請求項３に記載の静電霧化装置。
【請求項５】
制御カバー部は、前記本体ケースの左右側側面に接した構成とした請求項３または４に記載の静電霧化装置。
【請求項６】
静電霧化手段の少なくとも一部は、前記仕切板部と、略椀形状の静電霧化カバー部によって囲まれた請求項１から５のいずれかに記載の静電霧化装置。
【発明の詳細な説明】
【技術分野】
【０００１】
本発明は、水に高電圧を印加することにより水微粒子を生成する低騒音の静電霧化装置に関する。
【背景技術】
【０００２】
従来のこの種の静電霧化装置の構成は以下のようになっていた。
【０００３】
すなわち、吹出口と吸込口とを設けた本体ケースと、この本体ケース内の前記吸込口から前記吹出口への風路に静電霧化手段を備えた構成となっていた。（例えば、これに類似する先行文献は下記特許文献１に記載されている。）
【先行技術文献】
【特許文献】
【０００４】
【特許文献１】特開２００５−１３１５４９号公報
【発明の概要】
【発明が解決しようとする課題】
【０００５】
上記従来例における課題は、静電霧化装置の騒音が大きいということであった。
【０００６】
すなわち、従来の物においては、放電電極を冷却部によって冷却することにより、放電電極の先端に空気中の水分を結露させ、その結露させた水に高電圧を印加し、マイナスの電荷を集中させることにより水微粒子を生成していた。この水微粒子の生成および電動機の運転により騒音が発生するものである。
【０００７】
そこで本発明は、静電霧化装置の低騒音化を目的とするものである。
【課題を解決するための手段】
【０００８】
そしてこの目的を達成するために本発明は、吸気口と吹出口とを備えた略箱形状の本体ケースと、この本体ケース内に前記吸気口から前記吹出口へ送風する送風手段を設け、前記吸気口を、前記本体ケースの背面側側面に備え、前記吸気口に対向する位置に前記送風手段を設け、前記送風手段の風下側風路に静電霧化手段を備え、この静電霧化手段と前記送風手段とを動作させる制御手段を設け、前記送風手段および前記静電霧化手段と、前記本体ケースの前面側側面との間に略平板形状の仕切板部を設け、この仕切板部と、前記本体ケースの前面側側面との間に第１の空間部を設け、前記第１の空間部には、前記制御手段を設け、前記制御手段は、平板形状の基板部分と、この基板部分に固定された部品部分とから形成し、前記送風手段は、ケーシング部と、このケーシング部に配設された電動機と、この電動機によって回転する羽根とから形成し、前記基板部分は、前記本体ケースの前面側側面と前記送風手段とに対向し、前記基板部分は、前記ケーシング部の前記本体ケースにおける前面側をほぼ覆う大きさであると共に、前記ケーシング部の前記本体ケースにおける前面側に対向して設けられる構成であり、これにより、初期の目的を達成するものである。
【発明の効果】
【０００９】
以上のように本発明は、吸気口と吹出口とを備えた略箱形状の本体ケースと、この本体ケース内に前記吸気口から前記吹出口へ送風する送風手段を設け、前記吸気口を、前記本体ケースの背面側側面に備え、前記吸気口に対向する位置に前記送風手段を設け、前記送風手段の風下側風路に静電霧化手段を備え、この静電霧化手段と前記送風手段とを動作させる制御手段を設け、前記送風手段および前記静電霧化手段と、前記本体ケースの前面側側面との間に略平板形状の仕切板部を設け、この仕切板部と、前記本体ケースの前面側側面との間に第１の空間部を設け、前記第１の空間部には、前記制御手段を設け、前記制御手段は、平板形状の基板部分と、この基板部分に固定された部品部分とから形成し、前記送風手段は、ケーシング部と、このケーシング部に配設された電動機と、この電動機によって回転する羽根とから形成し、前記基板部分は、前記本体ケースの前面側側面と前記送風手段とに対向し、前記基板部分は、前記ケーシング部の前記本体ケースにおける前面側をほぼ覆う大きさであると共に、前記ケーシング部の前記本体ケースにおける前面側に対向して設けられた構成であり、静電霧化装置の低騒音化ができるものである。
【００１０】
すなわち、送風手段および静電霧化手段と、本体ケースの前面側側面との間に略平板形状の仕切板部を設け、この仕切板部と、前記本体ケースの前面側側面との間に第１の空間部を設けたので、送風手段および静電霧化手段で発生した騒音の一部が仕切板部を通して第１の空間内に伝わり、この第１の空間内で進行する音と反射する音とが干渉しあって減衰し、騒音を低減することができ、基板部分は、ケーシング部の本体ケースにおける前面側をほぼ覆う大きさであると共に、ケーシング部の本体ケースにおける前面側に対向して設け、送風手段で発生した騒音が、仕切板部から本体ケースの前面側側面へ直線的に伝播するのを効率的に遮断することができ、静電霧化装置の低騒音化ができるものである。
【００１１】
これらの結果により、静電霧化装置の低騒音化ができるものである。
【図面の簡単な説明】
【００１２】
【図１】本発明の実施の形態１の静電霧化装置の概略図
【図２】本発明の実施の形態１の静電霧化装置の概略断面を示す図
【図３】本発明の実施の形態１の静電霧化装置の概略断面を示す図
【図４】本発明の実施の形態１の静電霧化手段の概略断面を示す図
【発明を実施するための形態】
【００１３】
以下、本実施形態を添付図面を用いて説明する。
【００１４】
（実施の形態１）
図１から図４に示すように、本実施形態の静電霧化装置は、略箱形状の本体ケース１には、上面に吹出口２を、背面下部に吸気口３を有し、この本体ケース１内に吸気口３から吹出口２に送風する送風手段４を備えている。
【００１５】
吹出口２は、略横長四角形状で本体ケース１上面の中央部に位置し、吸気口３は、略四角形状で本体ケース１の背面側側面５の下部に位置し、着脱自在なフィルター６を備えている。
【００１６】
送風手段４は略スクロール形状で、上面には略横長四角形状の吐出口８を備え、本体ケース１の背面側側面５には円形状の吸込口９を設けている。この送風手段４の風下側風路に静電霧化手段７を備えている。
【００１７】
送風手段４は、室内の空気を吸気口３から本体ケース１内に吸い込み、その空気を詳しくは後述する静電霧化手段７から発生する帯電微粒子水と共に、吹出口２より室内に送風するものである。
【００１８】
本実施形態における特徴は、送風手段４および静電霧化手段７と、本体ケース１の前面側側面１０との間に略平板形状の仕切板部１１を設け、この仕切板部１１と、本体ケース１の前面側側面１０との間に第１の空間部１２を設けた点である。具体的には、仕切板部１１の本体ケース１における背面側には、送風手段４および静電霧化手段７を、仕切板部１１の本体ケース１における前面側には、第１の空間部１２を備えている。
【００１９】
すなわち、送風手段４および静電霧化手段７で発生した騒音の一部が、送風手段４および静電霧化手段７と、本体ケース１の前面側側面１０との間に設けられた仕切板部１１で遮音される。また、仕切板部１１を通して第１の空間部１２内に伝わった騒音は、第１の空間部１２内で進行する音と反射する音とが干渉しあって減衰し、本体ケース１の前面側側面１０へ直線的に伝播する騒音を低減することができる。これらの結果により、送風手段４および静電霧化手段７で発生した騒音を低減することができる。
【００２０】
また、第１の空間部１２には、制御手段１３を設けたものである。具体的には、制御手段１３は、平板形状の基板部分１３ａと、この基板部分１３ａに固定された部品部分１３ｂとから形成し、基板部分１３ａは、本体ケース１の前面側側面１０に対向する構成としたものである。
【００２１】
具体的には、仕切板部１１と本体ケース１の前面側側面１０との間、つまり、第１の空間部１２内に基板部分１３ａを設けたものである。すなわち、仕切板部１１を通して第１の空間部１２内に伝わった騒音の一部は、制御手段１３である基板部分１３ａによって、騒音が、仕切板部１１から本体ケース１の前面側側面１０へ直線的に伝播するのを遮断することによって騒音を低減することができる。この結果により、静電霧化装置の低騒音化ができるものである。
【００２２】
更に、制御手段１３である基板部分１３ａは送風手段４に対向する構成とするものである。具体的には、送風手段４は、略スクロール形状のケーシング部４ａと、このケーシング部４ａに配設された電動機４ｂと、この電動機４ｂによって回転する羽根４ｃとから形成している。ここで、基板部分１３ａは、ケーシング部４ａの本体ケース１における前面側をほぼ覆う大きさであると共に、ケーシング部４ａの本体ケース１における前面側に対向して設けられている。
【００２３】
すなわち、送風手段４で発生した騒音が、仕切板部１１から本体ケース１の前面側側面１０へ直線的に伝播するのを効率的に遮断することができ、静電霧化装置の低騒音化ができるものである。
【００２４】
また、仕切板部１１は、本体ケース１の前面側側面１０と背面側側面５との略中央部に位置する構成とした。具体的には、仕切板部１１は、略平板形状で本体ケース１の前面側側面１０と背面側側面５との略中央部に、本体ケース１の前面側側面１０および背面側側面５とほぼ平行に位置し、本体ケース１の左側側面１４および右側側面１５と接したものである。
【００２５】
すなわち、仕切板部１１によって、本体ケース１の左側側面１４および右側側面１５と接しているので、送風手段４を動かすことで起きる振動により、本体ケース１の左側側面１４および右側側面１５が共鳴することを低減できる。更に、仕切板部１１は、略平板形状で本体ケース１の前面側側面１０と背面側側面５との略中央部に位置するので、より効率的に本体ケース１の左側側面１４および右側側面１５の略中央部での振動を低減できる。これにより、本体ケース１の左側側面１４および右側側面１５が共鳴することを低減でき静電霧化装置の低騒音化ができるものである。
【００２６】
また、制御手段１３は、仕切板部１１と、略椀形状の制御カバー部１６によって囲まれた構成とした。具体的には、制御カバー部１６は、本体ケース１の前面側側面１０内面とほぼ同形状、つまり、本体ケース１の前面側側面１０内面に沿う略椀形状である。すなわち、仕切板部１１を通して第１の空間部１２内に伝わった騒音の一部は、制御手段１３である基板部分１３ａおよび制御カバー部１６によって、騒音が、仕切板部１１から本体ケース１の前面側側面１０へ直線的に伝播するのを遮断することによって騒音を低減することができる。この結果により、静電霧化装置の低騒音化ができるものである。
【００２７】
また，制御カバー部１６は本体ケース１の前面側側面１０に接した構成としたものである。
【００２８】
このように、制御カバー部１６と前面側側面１０が接することで、送風手段４を動かすことで起きる振動と共鳴し前面側側面１０が振動することを低減できる。これにより、静電霧化装置の低騒音化ができるものである。
【００２９】
更に、制御カバー部１６は、本体ケース１の左右側側面に接した構成としたものである。これにより、本体ケース１の左右側側面である左側側面１４および右側側面１５の振動も低減できるので、静電霧化装置の低騒音化ができるものである。
【００３０】
また、静電霧化手段７の少なくとも一部は、仕切板部１１と、略椀形状の静電霧化カバー部７ａによって囲まれた構成とした。ここで、静電霧化手段７について説明すると、この静電霧化手段７は、放電電極１７と、この放電電極１７に対向して配置された対向電極１８と、これらの対向電極１８と放電電極１７間に高電圧（この実施形態では−５ＫＶ）を印加する高電圧印加部１９と、前記放電電極１７を冷却する冷却部として配置したペルチェ素子２０と、このペルチェ素子２０の熱を放熱する放熱フィン２１とを備えている。ペルチェ素子２０は０．７５Ｖ〜２．８Ｖ程度の電圧を印加するものであり、この実施形態では、放電電極１７側を低温に、放熱フィン２１側を高温にする。この放電電極１７部分で冷却されることで、結露すると、帯電微粒子水が発生することになる。このような、静電霧化手段７の騒音発生源である放電電極１７と対向電極１８とを、略椀形状の静電霧化カバー部７ａによって本体ケース１の背面側側面５を、仕切板部１１によって本体ケース１の前面側側面１０を囲んだものである。すなわち、静電霧化手段７の放電電極１７と対向電極１８から発生する騒音が、本体ケース１の背面側側面５および前面側側面１０からの騒音を低減できる。
【００３１】
また、静電霧化カバー部７ａは、本体ケース１の背面側側面５に接した構成とした。具体的には、本体ケース１の背面側側面５の上部と静電霧化カバー部７ａとが接触するものである。すなわち、本体ケース１の背面側側面５の上部と静電霧化カバー部７ａとが接触しているので、送風手段４を動かすことで起きる振動により、本体ケース１の背面側側面５が共鳴することを低減できる。
【００３２】
また、送風手段４はケーシング部４ａと、このケーシング部４ａ内に設けられた羽根４ｃと、この羽根４ｃを回転させる電動機４ｂとから形成され、この電動機４ｂは、ケーシング部４ａ内に位置する構成とした。具体的には、電動機４ｂの電動機側面２２はケーシング部４ａで囲まれ、電動機４ｂの電動機背面２３のみが送風手段４の吸込口９に対向したものである。すなわち、電動機４ｂの電動機側面２２から発せられる騒音はケーシング部４ａにより遮断される。これにより、静電霧化装置の低騒音化ができるものである。
【００３３】
また、送風手段４であるケーシング部４ａと、本体ケース１の吸気口３との間に第２の空間部２５を設ける構成とした。具体的には、送風手段４であるケーシング部４ａの吸込口９は、本体ケース１の吸気口３に対向すると共に、ケーシング部４ａの吸込口側側面２４と本体ケース１の背面側側面５とは所定の距離、つまり、第２の空間部２５を有したものである。すなわち、送風手段４で発生した騒音の一部が第２の空間部２５に伝わり、この第２の空間部２５内で進行する音と反射する音とが干渉しあって減衰し、騒音を低減することができる。これらの結果により、静電霧化装置の低騒音化ができるものである。
【００３４】
また、送風手段４であるケーシング部４ａは、上面に吐出口８と、本体ケース１の吸気口３に対向する位置に吸込口９とを備え、この吸込口９の本体ケース１における左右方向の開口寸法は、吸気口３の本体ケース１における左右方向の開口寸法とほぼ同じである構成としたものである。
【００３５】
これにより、送風手段４で発生した騒音で、本体ケース１における左右方向に広がる騒音は、第２の空間部２５に伝わり易くなり、この第２の空間部２５内で進行する音と反射する音とが干渉しあって減衰し、騒音を低減することができる。これらの結果により、静電霧化装置の低騒音化ができるものである。
【産業上の利用可能性】
【００３６】
以上のように本発明は、吸気口と吹出口とを備えた略箱形状の本体ケースと、この本体ケース内に前記吸気口から前記吹出口へ送風する送風手段を設け、前記吸気口を、前記本体ケースの背面側側面に備え、前記吸気口に対向する位置に前記送風手段を設け、前記送風手段の風下側風路に静電霧化手段を備え、この静電霧化手段と前記送風手段とを動作させる制御手段を設け、前記送風手段および前記静電霧化手段と、前記本体ケースの前面側側面との間に略平板形状の仕切板部を設け、この仕切板部と、前記本体ケースの前面側側面との間に第１の空間部を設けた構成であり、静電霧化装置の低騒音化ができるものである。
【００３７】
すなわち、送風手段および静電霧化手段と、本体ケースの前面側側面との間に略平板形状の仕切板部を設け、この仕切板部と、前記本体ケースの前面側側面との間に第１の空間部を設けたので、送風手段および静電霧化手段で発生した騒音の一部が仕切板部を通して第１の空間内に伝わり、この第１の空間内で進行する音と反射する音とが干渉しあって減衰し、騒音を低減することができる。
【００３８】
これらの結果により、静電霧化装置の低騒音化ができるものである。
【００３９】
従って、家庭用や事務所用などの、静電霧化装置として活用が期待されるものである。
【符号の説明】
【００４０】
１      本体ケース
２      吹出口
３      吸気口
４      送風手段
４ａ    ケーシング部
４ｂ    電動機
４ｃ    羽根
５      背面側側面
６      フィルター
７      静電霧化手段
７ａ    静電霧化カバー部
８      吐出口
９      吸込口
１０    前面側側面
１１    仕切板部
１２    第１の空間部
１３    制御手段
１３ａ  基板部分
１３ｂ  部品部分
１４    左側側面
１５    右側側面
１６    制御カバー部
１７    放電電極
１８    対向電極
１９    高電圧印加部
２０    ペルチェ素子
２１    放熱フィン
２２    電動機側面
２３    電動機背面
２４    吸込口側側面
２５    第２の空間部
【図１】
0005381669.tif 000002
【図２】
0005381669.tif 000003
【図３】
0005381669.tif 000004
【図４】
0005381669.tif 000005